(57)【特許請求の範囲】
【請求項１】
略鉛直方向に立設される案内表示装置であって、
前記略鉛直方向に平行な第１の表示面と、
前記第１の表示面を照明する第１の光源と、
前記第１の表示面の前記略鉛直方向における上方において、前記第１の表示面に交差する方向に突出して設けられた庇と、
前記案内表示装置の上方から入射する光を遮る前記庇の影がうつる領域を照明する第２の光源と、
少なくとも前記第２の光源に光通信を行わせる制御部と、を備え、
前記第１の表示面は、前記第１の表示面内における上方において前記領域と重複する表示領域を有し、
前記表示領域には、所定の情報が表示される
案内表示装置。
【請求項２】
前記制御部は、前記第２の光源を点滅させて、前記領域を照明させる
請求項１に記載の案内表示装置。
【請求項３】
前記制御部は、さらに、前記第１の光源に光通信を行わせる
請求項１又は２に記載の案内表示装置。
【請求項４】
前記制御部は、前記第１の光源及び前記第２の光源を同期させて光通信を行わせる
請求項３に記載の案内表示装置。
【請求項５】
さらに、前記第１の表示面の照度を検出する照度センサを備え、
前記制御部は、前記照度センサが検出した照度が所定値以上の場合、前記第２の光源を点灯し、前記照度センサが検出した照度が所定値未満の場合、前記第２の光源を消灯する
請求項３又は４に記載の案内表示装置。
【請求項６】
さらに、前記第１の表示面の前方における人の存在を検出する人感センサを備え、
前記制御部は、前記人感センサが人の存在を検出した場合、前記第２の光源を点灯し、前記人感センサが人の存在を検出していない場合、前記第２の光源を消灯する
請求項３〜５のいずれか１項に記載の案内表示装置。
【請求項７】
請求項１〜６のいずれか１項に記載の案内表示装置と、
前記第１の光源又は前記第２の光源が光通信によって発する識別情報と前記案内表示装置の位置情報とが予め対応付けられた現在地情報を記憶するサーバと、
前記サーバと通信する携帯端末と、を備え、
前記携帯端末は、目的地を示す情報と、当該携帯端末が有する撮影部が取得した前記識別情報とを前記サーバに送信し、
前記サーバは、前記携帯端末から送信された前記識別情報を前記現在地情報に照合し、当該識別情報に対応する位置情報が示す位置から前記携帯端末から送信された前記目的地を示す情報が示す位置までのルート情報を作成し、当該ルート情報を前記携帯端末に送信する
案内システム。
【発明の詳細な説明】
【技術分野】
【０００１】
本発明は、案内表示装置及びそれを用いた案内システムに関する。
【背景技術】
【０００２】
地図等の案内表示をしている表示面から光通信によって識別情報を発する案内表示装置が提案されている。当該案内表示装置は例えば内照式の案内板であり、表示面の裏側に設置された光源が識別情報を含む光を出力することで、表示面から識別情報が発せられる。識別情報は、例えば案内表示装置の設置位置を示す情報である。そして、携帯端末等で表示面が撮影されることで携帯端末は識別情報を受信し、ユーザは、現在位置（案内表示装置の設置位置）を携帯端末で確認することができる。さらに、ユーザは、携帯端末に目的地を入力することで、現在位置から目的地までのルートを携帯端末で確認できる案内サービスを受けることができる。特許文献１には、このような案内表示装置に関する技術が開示されている。
【先行技術文献】
【特許文献】
【０００３】
【特許文献１】特開２０１２−０５５５８２号公報
【発明の概要】
【発明が解決しようとする課題】
【０００４】
ところで、上述した案内表示装置が例えば屋外に設置されているときに、太陽光等の強い光が表示面を照らしていることがある。この場合には、表示面から発せられる識別情報を太陽光の影響により携帯端末が正しく受信できず、上述した案内サービスを受けることができないことがある。
【０００５】
そこで、本発明は、光通信を正しく行うことができる案内表示装置及び案内システムを提供することを目的とする。
【課題を解決するための手段】
【０００６】
本発明の一態様に係る案内表示装置は、略鉛直方向に立設される案内表示装置であって、前記略鉛直方向に平行な第１の表示面と、前記第１の表示面を照明する第１の光源と、前記第１の表示面の前記略鉛直方向における上方において、前記第１の表示面に交差する方向に突出して設けられた庇と、前記案内表示装置の上方から入射する光を遮る前記庇の影がうつる領域を照明する第２の光源と、少なくとも前記第２の光源に光通信を行わせる制御部と、を備える。
【０００７】
本発明の一態様に係る案内システムは、上記の案内表示装置と、前記第１の光源又は前記第２の光源が光通信によって発する識別情報と前記案内表示装置の位置情報とが予め対応付けられた現在地情報を記憶するサーバと、前記サーバと通信する携帯端末と、を備え、前記携帯端末は、目的地を示す情報と、当該携帯端末が有する撮影部が取得した前記識別情報とを前記サーバに送信し、前記サーバは、前記携帯端末から送信された前記識別情報を前記現在地情報に照合し、当該識別情報に対応する位置情報が示す位置から前記携帯端末から送信された前記目的地を示す情報が示す位置までのルート情報を作成し、当該ルート情報を前記携帯端末に送信する。
【発明の効果】
【０００８】
本発明の一態様に係る案内表示装置及び案内システムによれば、光通信を正しく行うことができる。
【図面の簡単な説明】
【０００９】
【図１】実施の形態に係る案内表示装置の一例を示す外観図である。
【図２】実施の形態に係る表示領域の表示例を示す図である。
【図３】実施の形態に係る案内システムの一例を示す構成図である。
【図４】実施の形態に係る案内表示装置の動作の一例を示すフローチャートである。
【図５】実施の形態に係る案内システムの動作を説明するための説明図である。
【図６】実施の形態に係る案内システムの動作を説明するための説明図である。
【図７】実施の形態に係るサーバが記憶する現在地情報の一例を示すテーブルである。
【図８】実施の形態に係る案内システムの動作を説明するための説明図である。
【発明を実施するための形態】
【００１０】
以下では、本発明の実施の形態について、図面を用いて詳細に説明する。なお、以下に説明する実施の形態は、いずれも本発明の好ましい一具体例を示すものである。従って、以下の実施の形態で示される数値、形状、材料、構成要素、構成要素の配置及び接続形態、並びに、ステップ（工程）及びステップの順序等は、一例であり、本発明を限定する趣旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。また、各図において、同じ構成要素については同じ符号を付している。
【００１２】
（実施の形態）
以下、実施の形態について、図１から図８を用いて説明する。
【００１３】
［案内表示装置の外観］
まず、案内表示装置１０の外観について図１及び図２を用いて説明する。
【００１４】
図１は、実施の形態に係る案内表示装置１０の一例を示す外観図である。
【００１５】
図１に示されるように、案内表示装置１０は、太陽光を受ける屋外等の光を受ける場所において略鉛直方向、つまり、設置面３００に対して略垂直方向に立設されており、案内表示装置１０が設置された場所の周囲の順路若しくは地図又は広告等の案内情報２１が表示される案内板（看板）である。
【００１６】
案内表示装置１０は、案内情報２１が表示される第１の表示面２０を備える。第１の表示面２０は、例えば透光性を有するガラス板又は樹脂板等であり、第１の光源３０に照明される。案内表示装置１０は、例えば内照式の案内板であり、第１の光源３０は第１の表示面２０の裏側に設置されているため図１に示されていない。第１の光源３０は、第１の表示面２０の裏側から第１の表示面２０の例えば全面（後述する表示領域７０を含む）を照明する。第１の表示面２０は、人が案内情報２１を見やすいように略鉛直方向に平行な面である。図１には、案内情報２１として順路が表示されているが、例えば、案内情報２１は地図又は広告等の情報であってもよい。また、案内情報２１は、第１の表示面２０に予め描かれたものであってもよく、また、第１の光源３０により映し出された画像等であってもよい。
【００１７】
案内表示装置１０は、第１の表示面２０の略鉛直方向における上方において、第１の表示面２０に交差する方向に突出して設けられた庇４０を備える。つまり、庇４０は、第１の表示面２０の略鉛直方向における上方において、略水平方向、略水平方向から上方に傾斜して、又は、略水平方向から下方に傾斜して設けられる。図１には、第１の表示面２０の略鉛直方向における上方において、略水平方向から上方に傾斜して設けられた庇４０が示されている。また、図１には、案内表示装置１０の上方から入射する光（太陽光）を遮っている庇４０の影がうつる領域４１が示されている。また、案内表示装置１０には、第２の光源５０が設けられている。第２の光源５０は、例えば庇４０の下面に取り付けられている。具体的には、庇４０は、下面側に凹部を有し、当該凹部内に第２の光源５０が取り付けられている。このとき、第２の光源５０は、庇４０の下方にある領域４１を照明するように光出射方向が領域４１へ向けられている。なお、第２の光源５０は、領域４１以外の領域も照明してもよい。また、第２の光源５０は、庇４０から伸びるアームの先に取り付けられてもよい。ただし、この場合でも、第２の光源５０は、庇４０の下方にある領域４１を照明するように取り付けられる。
【００１８】
第１の表示面２０は、第１の表示面２０内における上方において領域４１と重複する表示領域７０を有する。領域４１と表示領域７０とは重複するため、第２の光源５０が領域４１を照明することで、表示領域７０は第２の光源５０に照明される。表示領域７０は、例えば光を反射する機能を有し、第１の表示面２０の略鉛直方向における上方からの第２の光源５０の光を表示領域７０の前方へ反射する。
【００１９】
表示領域７０には、後述する識別情報を取得できることを示すマーク７１と、所定の情報７２ａとが表示される。所定の情報７２ａは、例えば蛍光塗料により予め表示領域７０に、例えば「太陽光対策表示エリア」と描かれた文字である。なお、所定の情報７２ａは、第２の光源５０により映し出された画像であってもよい。マーク７１は、太陽が出ている場合に、どのような時間帯であっても太陽光を遮っている庇４０の影がうつる位置にあることが好ましい。言い換えると、表示領域７０におけるマーク７１以外の領域は、時間帯によっては太陽光が庇４０に遮られず直射してもよい。マーク７１及び所定の情報７２ａについては後述する。
【００２０】
なお、表示領域７０に表示されるものは、図１に示される所定の情報７２ａに限らない。例えば、表示領域７０には、図２に示される所定の情報７２ｂが表示されてもよい。
【００２１】
図２は、表示領域７０の表示例を示す図である。
【００２２】
図２に示されるように、所定の情報７２ｂは、例えば蛍光塗料により予め表示領域７０に、例えば「点滅時はこちらで信号を受信できます」と描かれた文字である。なお、所定の情報７２ｂは、第１の光源３０又は第２の光源５０により映し出された画像であってもよい。
【００２３】
また、第１の表示面２０は、表示領域７０を有さなくてもよい。この場合、案内表示装置１０は、さらに、第１の表示面２０と庇４０との間に第１の表示面２０とは別体に設けられた、領域４１と重複する第２の表示面を備える。ただし、この場合でも、第２の表示面は、第１の光源３０に照明されることが好ましい。また、この場合、第２の表示面には、マーク７１と所定の情報７２ａ又は７２ｂとが表示される。
【００２４】
第１の光源３０及び第２の光源５０は、例えばＬＥＤ（Ｌｉｇｈｔ  Ｅｍｉｔｔｉｎｇ  Ｄｉｏｄｅ）又は蛍光灯等である。第１の光源３０は第１の表示面２０を照明する。上述したように、案内表示装置１０は例えば内照式の案内板であり、第１の光源３０は、第１の表示面２０の裏側から第１の表示面２０全体を照明することで、案内情報２１を目立たせたり、夜間でも見えやすくさせたりする。第１の光源３０は、案内情報２１を目立たせたり、夜間でも見えやすくさせたりするために、例えば、常に点灯している。なお、第１の光源３０は、第１の表示面２０内の表示領域７０を照明しなくてもよい。第２の光源５０は、上方から領域４１（表示領域７０）を照明し、第２の光源５０が出力した光は、上述したように領域４１で反射する。第２の光源５０は、上述したように領域４１（表示領域７０）以外の領域も照明してもよいが、案内情報２１を目立たせたり夜間でも見えやすくさせたりしなくてもよい。
【００２５】
少なくとも第２の光源５０は、後述する制御部６０に制御されることで、光通信によって識別情報を発する。なお、第１の光源３０も制御部６０に制御されることで、光通信によって識別情報を発する。第１の光源３０及び第２の光源５０は、例えば同じ識別情報を含む光を出力する。識別情報は案内表示装置１０に固有の情報であり、案内表示装置１０が設置された位置（例えば緯度及び経度）を示す情報（ＩＤ）である。識別情報は、例えば番号等により構成される。識別情報は、第１の光源３０が出力した光が第１の表示面２０を透過することで第１の表示面２０から発せられる。また、識別情報は、第２の光源５０が出力した光が表示領域７０で反射することで表示領域７０からも発せられる。
【００２６】
［案内システムの構成］
次に、案内システム１の構成について、図３を用いて説明する。
【００２７】
図３は、案内システム１の一例を示す構成図である。
【００２８】
案内システム１は、案内表示装置１０、携帯端末１００及びサーバ２００を備え、ユーザが現在位置から目的地までのルートを確認できる案内サービスを提供するシステムである。案内システム１の動作の詳細については、後述する図５から図８で詳細に説明するが、ユーザは、屋外で道に迷ったときでも、携帯端末１００で案内表示装置１０を撮影することで、現在位置（案内表示装置１０の設置位置）から目的地までのルートを確認できる。
【００２９】
案内表示装置１０は、第１の表示面２０、第１の光源３０、庇４０、第２の光源５０、制御部６０、表示領域７０、照度センサ８０及び人感センサ９０を備える。第１の表示面２０、第１の光源３０、庇４０、第２の光源５０、及び、表示領域７０については、図１で説明したため、説明を省略する。制御部６０は、案内表示装置１０の機能構成要素である。
【００３０】
制御部６０は、少なくとも第２の光源５０に光通信を行わせる。制御部６０は、さらに、第１の光源３０にも光通信を行わせる。制御部６０は、例えば、フリッカ（ちらつき）が発生しないような変調周波数で変調した変調光を第１の光源３０及び第２の光源５０に出力させることで、第１の光源３０及び第２の光源５０に光通信（可視光通信）を行わせる。このとき、第１の光源３０が出力する光と第２の光源５０が出力する光とが混ざることがあるため、制御部６０は、第１の光源３０及び第２の光源５０を同期させて光通信を行わせる。また、制御部６０は、第２の光源５０を点滅させて、領域４１を照明するように、第２の光源５０を制御する。当該点滅は人の目にわかる速さの点滅である。また、制御部６０は、後述する照度センサ８０及び人感センサ９０の検出結果に応じて、第２の光源５０を制御する。制御部６０は、例えば案内表示装置１０が備える記憶部（図示せず）に記憶された制御プログラムを実行するプロセッサ等により実現されるが、マイクロコンピュータ又は専用回路等により実現されてもよい。
【００３１】
照度センサ８０は、第１の表示面２０の照度を検出するセンサであり、例えばフォトダイオードにより構成されるセンサである。制御部６０は、照度センサ８０が検出した照度が所定値以上の場合、第２の光源５０を点灯する。また、制御部６０は、照度センサ８０が検出した照度が所定値未満の場合、第２の光源５０を消灯する。所定値とは、第１の表示面２０から発せられる識別情報が太陽光等の光の影響を受けることで、携帯端末１００が正しく識別情報を撮影（受信）できなくなるときの第１の表示面２０の照度である。つまり、第１の表示面２０の照度は、太陽光等の強い光が第１の表示面２０を直射しているときに所定値以上になりやすい。
【００３２】
人感センサ９０は、第１の表示面２０の前方における人の存在を検出するセンサであり、例えば赤外線等を用いたセンサである。制御部６０は、人感センサ９０が人の存在を検出した場合、第２の光源５０を点灯する。また、制御部６０は、人感センサ９０が人の存在を検出していない場合、第２の光源５０を消灯する。
【００３３】
携帯端末１００は、ユーザが外出する際に持ち歩く携帯電話、スマートフォン又はタブレット端末等の端末である。携帯端末１００は、サーバ２００と通信する。携帯端末１００は、制御部１１０、通信部１２０、撮影部１３０、入力部１４０及び表示部１５０を備える。
【００３４】
制御部１１０は、表示部１５０が現在位置から目的地までのルートを表示するための処理を行う。制御部１１０は、例えば携帯端末１００が備える記憶部（図示せず）に記憶された制御プログラム（アプリ）を実行するプロセッサ等により実現される。制御部１１０の動作の詳細については、後述する図５から図８で詳細に説明する。
【００３５】
通信部１２０は、サーバ２００と通信するための通信インタフェースである。通信部１２０とサーバ２００との間の通信には、例えば、第３世代移動通信システム（３Ｇ）、第４世代移動通信システム（４Ｇ）、又は、ＬＴＥ（登録商標）等のような移動通信システムで利用される通信規格が適用される。
【００３６】
撮影部１３０は、案内表示装置１０が備える第１の表示面２０又は表示領域７０から発せられる識別情報を撮影（受信）する、例えばカメラである。撮影部１３０が撮影した識別情報は、通信部１２０を介してサーバ２００に送信される。
【００３７】
入力部１４０は、例えばスイッチ、ボタン、キーボード等の操作部或いはタッチパネル等である。ユーザは、入力部１４０を操作することで、ユーザが行きたい目的地を入力する。入力された目的地を示す情報は、通信部１２０を介してサーバ２００に送信される。
【００３８】
表示部１５０は、例えばＬＣＤ又は有機ＥＬ等のディスプレイ（タッチパネルディスプレイ）である。表示部１５０が例えばタッチパネルディスプレイの場合、ユーザは、タッチパネル（入力部１４０）を操作することで、ユーザが行きたい目的地を入力する。表示部１５０には、後述する図５、図６及び図８に示されるような画像が表示がされる。
【００３９】
サーバ２００は、携帯端末１００からの要求に応じて処理を行う装置であり、第１の光源３０又は第２の光源５０が光通信によって発する識別情報と案内表示装置１０の位置情報とが予め対応付けられた現在地情報を記憶する。現在地情報については、後述する図７で詳細に説明する。サーバ２００は、制御部２１０、通信部２２０及び記憶部２３０を備える。
【００４０】
制御部２１０は、携帯端末１００から送信された識別情報を現在地情報に照合し、当該識別情報に対応する位置情報が示す位置から携帯端末１００から送信された目的地を示す情報が示す位置までのルート情報を作成する処理を行う。制御部２１０は、記憶部２３０に記憶された制御プログラムを実行するプロセッサ等により実現されるが、マイクロコンピュータ又は専用回路等により実現されてもよい。制御部２１０の動作については、後述する図７及び図８で詳細に説明する。
【００４１】
通信部２２０は、携帯端末１００（通信部１２０）と通信するための通信インタフェースである。制御部２１０が作成したルート情報は、通信部２２０を介して携帯端末１００に送信される。
【００４２】
記憶部２３０は、プログラム及びデータを記憶しているＲＯＭ（Ｒｅａｄ  Ｏｎｌｙ  Ｍｅｍｏｒｙ）、プログラムの実行に際してデータ等の記憶に利用するためのＲＡＭ（Ｒａｎｄｏｍ  Ａｃｃｅｓｓ  Ｍｅｍｏｒｙ）等の半導体メモリである。記憶部２３０は、現在地情報を記憶している。
【００４３】
［案内表示装置の動作］
次に、案内表示装置１０の動作について、図４を用いて説明する。
【００４４】
図４は、実施の形態に係る案内表示装置１０の動作の一例を示すフローチャートである。
【００４５】
まず、制御部６０は、照度センサ８０が検出した第１の表示面２０の照度が所定値以上であるか否かを判定する（ステップＳ１１）。これにより、制御部６０は、第１の表示面２０に太陽光等の強い光が照らされているか否かを判定する。照度センサ８０が検出した第１の表示面２０の照度が所定値以上である場合、第１の表示面２０が携帯端末１００で撮影されても、携帯端末１００は、太陽光等の影響により正しく識別情報を取得できないことがある。
【００４６】
照度センサ８０が検出した第１の表示面２０の照度が所定値以上であると制御部６０が判定した場合（ステップＳ１１でＹｅｓ）、制御部６０は、人感センサ９０が第１の表示面２０の前方における人の存在を検出したか否かを判定する（ステップＳ１２）。これにより、制御部６０は、案内表示装置１０の前方に案内表示装置１０を使用（例えば案内情報２１を確認又は識別情報を取得）しようとしている人がいるか否かを判定する。人感センサ９０が第１の表示面２０の前方における人の存在を検出した場合、識別情報が取得される可能性があるため、識別情報を取得できる状態にする必要がある。
【００４７】
人感センサ９０が第１の表示面２０の前方における人の存在を検出したと制御部６０が判定した場合（ステップＳ１２でＹｅｓ）、制御部６０は、第２の光源５０を点灯する（ステップＳ１３）。これにより、第１の表示面２０の太陽光等の直射がされている領域が携帯端末１００で撮影されても、携帯端末１００は、太陽光等の影響により正しく識別情報を取得できないことがあるが、庇４０によって太陽光等の直射がされていない表示領域７０が携帯端末１００で撮影されることで、携帯端末１００は識別情報を取得できる。このとき、ユーザに表示領域７０を携帯端末１００で撮影させるように促す機能を案内表示装置１０は有する。
【００４８】
表示領域７０には、所定の情報７２ａが表示される。上述したように、所定の情報７２ａとして文字「太陽光対策表示エリア」は、例えば蛍光塗料で書かれている。これにより、第２の光源５０から出力された光が当たることで光る所定の情報７２ａは、ユーザの関心を引くことができる。したがって、ユーザは、所定の情報７２ａが表示された表示領域７０が太陽光の対策がされ識別情報を取得することができるエリアであることがわかる。
【００４９】
また、制御部６０は、第２の光源５０を点滅させて、領域４１（表示領域７０）を照明させる。これにより、第２の光源５０から出力された点滅する光が当たることで点滅して光る所定の情報７２ａは、ユーザの関心をより引くことができる。なお、表示領域７０には、所定の情報７２ｂが表示されてもよい。上述したように、所定の情報７２ｂとして文字「点滅時はこちらで信号を受信できます」は、例えば蛍光塗料で書かれている。これにより、第２の光源５０から出力された点滅する光が所定の情報７２ｂに当たることで、所定の情報７２ｂは点滅して光る。したがって、ユーザは、所定の情報７２ｂが表示された表示領域７０が識別情報を取得することができるエリアであることがわかる。
【００５０】
案内表示装置１０は、このようにして、ユーザに表示領域７０を携帯端末１００で撮影させるように促す。
【００５１】
一方、照度センサ８０が検出した第１の表示面２０の照度が所定値未満であると制御部６０が判定した場合（ステップＳ１１でＮｏ）、制御部６０は、第２の光源５０を消灯する（ステップＳ１４）。この場合、第１の表示面２０は、太陽光等の強い光を受けていないため、第１の表示面２０が携帯端末１００で撮影されることで、携帯端末１００は、太陽光等の影響を受けず正しく識別情報を取得できる。
【００５２】
また、人感センサ９０が第１の表示面２０の前方における人の存在を検出していないと制御部６０が判定した場合（ステップＳ１２でＮｏ）、制御部６０は、第２の光源５０を消灯する（ステップＳ１４）。この場合、案内表示装置１０の前に人が居らず識別情報が取得される可能性が低いため、表示領域７０から識別情報を取得できる状態にしなくてもよい。
【００５３】
なお、図４に示されるステップＳ１１とステップＳ１２との順序は一例であり、ステップＳ１２、ステップＳ１１の順序であってもよい。
【００５４】
また、ステップＳ１３で制御部６０が第２の光源５０を点灯させた後は、ステップＳ１１及びステップＳ１２の判定に関わらず所定の時間（例えば１分等）継続して制御部６０が第２の光源５０を点灯させてもよい。
【００５５】
このように、制御部６０は、第１の表示面２０の照度が所定値以上であり、かつ、第１の表示面２０の前方に人が存在するときに、第２の光源５０を点灯する。
【００５６】
［案内システムの動作］
次に、案内表示装置１０の動作について、図５から図８を用いて説明する。
【００５７】
図５、図６及び図８は、案内システム１の動作を説明するための説明図である。
【００５８】
図５には、携帯端末１００の表示部１５０に表示された、ユーザに目的地を入力させるための表示１５１が示される。
【００５９】
例えば、携帯端末１００には、現在位置から目的地までのルートを表示部１５０で確認するための案内サービスを受けることができるプログラム（アプリ）がインストールされているとする。当該アプリが起動されることで、表示部１５０には、例えば図５に示される表示１５１がされる。そして、入力部１４０を介して目的地が入力されることで、携帯端末１００は、目的地を示す情報を取得する。目的地を示す情報は、例えば、緯度及び経度を示す情報である。
【００６０】
目的地が入力された場合、表示部１５０には、図６に示される表示１５２がされる。表示１５２は、ユーザに、案内表示装置１０の表示領域７０に表示されたマーク７１に携帯端末１００の撮影部１３０（カメラ）を向けることを促す表示である。これにより、撮影部１３０がマーク７１を撮影することで、携帯端末１００は第１の光源又は前記第２の光源が光通信によって発する識別情報を取得する。
【００６１】
そして、携帯端末１００は、目的地を示す情報と、携帯端末１００が有する撮影部１３０が取得した識別情報とを通信部１２０を介してサーバ２００の通信部２２０に送信する。
【００６２】
サーバ２００の記憶部２３０は、図７に示されるような現在地情報を記憶している。
【００６３】
図７は、実施の形態に係るサーバ２００が記憶する現在地情報の一例を示すテーブルである。
【００６４】
現在地情報は、第１の光源３０又は第２の光源５０が光通信によって発する識別情報と案内表示装置１０の位置情報とが予め対応付けられた情報（例えばテーブル）である。案内表示装置１０は、それぞれ様々な場所に設置され、設置された場所に応じてそれぞれ異なる識別情報を有している。図７に示されるように、現在地情報には、異なる場所に設置された案内表示装置１０のそれぞれが有する識別情報と、案内表示装置１０のそれぞれが設置された位置の情報（例えば緯度及び経度を示す情報）とが対応付けられている。
【００６５】
サーバ２００（制御部２１０）は、携帯端末１００から送信された識別情報を現在地情報に照合し、当該識別情報に対応する位置情報が示す位置から携帯端末１００から送信された目的地を示す情報が示す位置までのルート情報を作成する。例えば、制御部２１０は、携帯端末１００から送信された識別情報が「１１１」の場合、「１１１」に対応する位置情報が示す緯度及び経度「３４．６８６３、１３５．５１９７」から目的地を示す情報が示す緯度及び経度までのルート情報を作成する。そして、サーバ２００（制御部２１０）は、通信部２２０を介して携帯端末１００の通信部１２０にルート情報を送信する。
【００６６】
携帯端末１００がサーバ２００からルート情報を受信すると、表示部１５０には、ルート情報に基づいて図８に示される表示１５３がされる。表示１５３は、例えば地図上に現在地、目的地及び現在地から目的地までのルートが重畳された表示である。これにより、ユーザは、撮影した案内表示装置１０が設置された位置である現在地から目的地までのルートを確認できる。
【００６７】
このように、案内システム１は、ユーザが現在位置から目的地までのルートを確認できる案内サービスを提供する。
【００６８】
［効果等］
従来、案内表示装置が例えば屋外に設置されているときに、太陽光等の強い光が表示面を照らしていることがある。この場合には、表示面から発せられる識別情報を太陽光の影響により携帯端末が正しく受信できず、案内サービスを受けることができないことがある。
【００６９】
そこで、本実施の形態に係る案内表示装置１０は、略鉛直方向に立設される案内表示装置である。案内表示装置１０は、略鉛直方向に平行な第１の表示面２０と、第１の表示面２０を照明する第１の光源３０と、第１の表示面２０の略鉛直方向における上方において、第１の表示面２０に交差する方向に突出して設けられた庇４０と、案内表示装置１０の上方から入射する光を遮る庇４０の影がうつる領域４１を照明する第２の光源５０と、少なくとも第２の光源５０に光通信を行わせる制御部６０と、を備える。
【００７０】
これにより、案内表示装置１０が太陽光等の強い光を受けたときに、案内表示装置１０には、太陽光等の強い光を遮る庇４０の影がうつる領域４１ができる。したがって、第２の光源５０が照明する領域４１では、領域４１で例えば反射することで行われる第２の光源５０による光通信が太陽光等の光の影響を受けにくいため、光通信を正しく行うことができる。
【００７１】
また、第１の表示面２０は、第１の表示面２０内における上方において領域４１と重複する表示領域７０を有し、表示領域７０には、所定の情報７２ａ又は７２ｂが表示される。
【００７２】
もしくは、案内表示装置１０は、さらに、第１の表示面２０と庇４０との間に第１の表示面２０とは別体に設けられた、領域４１と重複する第２の表示面を備え、第２の表示面には、所定の情報７２ａ又は７２ｂが表示される。
【００７３】
表示領域７０又は第２の表示面には、所定の情報７２ａ又は７２ｂとして、例えば表示領域７０又は第２の表示面が光通信を正しく行うことができるエリアであることがわかる表示がされる。これにより、ユーザは、所定の情報７２ａ又は７２ｂが表示された表示領域７０又は第２の表示面が光通信を正しく行うことがエリアであることが容易にわかる。
【００７４】
また、制御部６０は、第２の光源５０を点滅させて、領域４１を照明させる。
【００７５】
これにより、点滅する第２の光源５０が出力する光を反射する領域４１も、点滅するため、ユーザの関心を引くことができる。したがって、太陽光等の光の影響を受けにくい領域４１において、光通信を行わせることをユーザに促すことができる。
【００７６】
また、制御部６０は、さらに、第１の光源３０に光通信を行わせる。
【００７７】
これにより、第１の光源３０は、第１の表示面２０を例えば目立たせるために照明しつつ、光通信も行うことができる。また、第２の光源５０が光通信をする必要がない場合に第２の光源５０を消灯させた場合でも、第１の光源３０によって光通信を行うことができる。
【００７８】
また、制御部６０は、第１の光源３０及び第２の光源５０を同期させて光通信を行わせる。
【００７９】
これにより、第１の光源３０が出力する光と第２の光源５０が出力する光とが混ざった場合でも、光通信を正しく行うことができる。
【００８０】
また、案内表示装置１０は、さらに、第１の表示面２０の照度を検出する照度センサ８０を備え、制御部６０は、照度センサ８０が検出した照度が所定値以上の場合、第２の光源５０を点灯し、照度センサ８０が検出した照度が所定値未満の場合、第２の光源５０を消灯する。
【００８１】
これにより、照度センサ８０が検出した照度が、所定値として、例えば第１の光源３０が行う光通信が太陽光等の光の影響を受ける照度未満の場合には、第１の表示面２０には太陽光等の強い光が直射していないため、第１の光源３０が行う光通信を正しく行うことができる。つまり、照度センサ８０が検出した照度が所定値未満の場合には、第２の光源５０に光通信を行わせなくても第１の光源３０による光通信を正しく行うことができるため、第２の光源５０を消灯させることができ、案内表示装置１０を省電力化することができる。
【００８２】
また、案内表示装置１０は、さらに、第１の表示面２０の前方における人の存在を検出する人感センサ９０を備え、制御部６０は、人感センサ９０が人の存在を検出した場合、第２の光源５０を点灯し、人感センサ９０が人の存在を検出していない場合、第２の光源５０を消灯する。
【００８３】
これにより、人感センサ９０が第１の表示面２０の前方における人の存在を検出していない場合には、案内表示装置１０の前に人が居らず光通信を行う必要がないため、第２の光源５０を消灯させることができ、案内表示装置１０を省電力化することができる。
【００８４】
本実施の形態に係る案内システム１は、上記の案内表示装置１０と、第１の光源３０又は第２の光源５０が光通信によって発する識別情報と案内表示装置１０の位置情報とが予め対応付けられた現在地情報を記憶するサーバ２００と、サーバ２００と通信する携帯端末１００と、を備える。携帯端末１００は、目的地を示す情報と、携帯端末１００が有する撮影部１３０が取得した識別情報とをサーバ２００に送信する。サーバ２００は、携帯端末１００から送信された識別情報を現在地情報に照合し、当該識別情報に対応する位置情報が示す位置から携帯端末１００から送信された目的地を示す情報が示す位置までのルート情報を作成し、当該ルート情報を携帯端末１００に送信する。
【００８５】
これにより、案内表示装置１０が太陽光等の強い光を受けたときに、案内表示装置１０には、太陽光等の強い光を遮る庇４０の影がうつる領域４１ができる。したがって、第２の光源５０が照明する領域４１では、領域４１で例えば反射することで行われる第２の光源５０による光通信が太陽光等の光の影響を受けにくいため、光通信を正しく行うことができる。よって、現在位置（案内表示装置１０の設置位置）から目的地までのルートを携帯端末１００で確認できる案内サービスを受けることができる。
【００８６】
（その他の実施の形態）
以上、実施の形態に係る案内表示装置１０及び案内システム１について説明したが、本発明は、上記実施の形態に限定されるものではない。
【００８７】
例えば、上記実施の形態では、案内表示装置１０は、太陽光を受ける屋外に設置されたが、これに限らない。例えば、案内表示装置１０は、太陽光を受けない屋内に設置されてもよい。この場合には、案内表示装置１０は、屋内に設置された照明器具の光を受けることがあるが、庇４０が当該光を遮るため、光通信を正しく行うことができる。
【００８８】
また、例えば、上記実施の形態では、制御部６０は、第１の光源３０に光通信を行わせたが、これに限らない。例えば、制御部６０は、第１の光源３０に光通信を行わせなくてもよい。ただし、この場合には、制御部６０は、照度センサ８０が検出した照度が所定値未満の場合であっても、第２の光源５０を消灯させないことが好ましい。
【００８９】
また、例えば、上記実施の形態では、第２の光源５０は、表示領域７０を上方から照明し、出力する光を表示領域７０で反射されたが、これに限らない。例えば、第２の光源５０は、表示領域７０の裏側に配置されてもよい。この場合には、所定の情報７２ａ又は７２ｂは、蛍光塗料で書かれたものでなくてもよい。
【００９０】
また、例えば、上記実施の形態では、第１の光源３０は常に点灯したが、これに限らない。例えば、第１の光源３０は、日中等の明るい時間帯には消灯してもよい。
【００９１】
また、例えば、上記実施の形態では、制御部６０は、第１の光源３０及び第２の光源５０を同期させて光通信を行わせたが、これに限らない。例えば、制御部６０は、第１の光源３０及び第２の光源５０を同期させて光通信を行わせなくてもよい。ただし、この場合には、第１の光源３０が出力する光と第２の光源５０が出力する光とが混ざらないように、第１の光源３０及び第２の光源５０の位置及び向きを調整することが好ましい。また、この場合には、第１の光源３０から発せられる情報と第２の光源５０から発せられる情報とが異なる情報であってもよい。
【００９２】
また、例えば、上記実施の形態では、案内表示装置１０は、表示領域７０又は第２の表示面を備えたが、これに限らない。例えば、案内表示装置１０は、表示領域７０又は第２の表示面を備えなくてもよい。言い換えると、所定の情報７２ａ又は７２ｂが表示されなくてもよい。
【００９３】
また、例えば、上記実施の形態では、案内表示装置１０は、照度センサ８０及び人感センサ９０を備えたが、これに限らない。例えば、案内表示装置１０は、照度センサ８０及び人感センサ９０の少なくとも一方を備えてなくてもよい。
【００９４】
また、例えば、上記実施の形態では、制御部６０は、第２の光源５０を点滅させて、領域４１を照明させたが、点滅させなくてもよい。
【００９５】
また、本発明は、案内表示装置１０として実現できるだけでなく、案内表示装置１０を構成する制御部６０が行うステップ（処理）を含む方法として実現できる。
【００９６】
例えば、それらのステップは、コンピュータ（コンピュータシステム）によって実行されてもよい。そして、本発明は、それらの方法に含まれるステップを、コンピュータに実行させるためのプログラムとして実現できる。さらに、本発明は、そのプログラムを記録したＣＤ−ＲＯＭ等である非一時的なコンピュータ読み取り可能な記録媒体として実現できる。
【００９７】
例えば、本発明が、プログラム（ソフトウェア）で実現される場合には、コンピュータのＣＰＵ、メモリおよび入出力回路等のハードウェア資源を利用してプログラムが実行されることによって、各ステップが実行される。つまり、ＣＰＵがデータをメモリまたは入出力回路等から取得して演算したり、演算結果をメモリまたは入出力回路等に出力したりすることによって、各ステップが実行される。
【００９８】
また、上記実施の形態の案内表示装置１０に含まれる制御部６０は、専用または汎用の回路として実現されてもよい。
【００９９】
また、上記実施の形態の案内表示装置１０に含まれる制御部６０は、集積回路（ＩＣ：Ｉｎｔｅｇｒａｔｅｄ  Ｃｉｒｃｕｉｔ）であるＬＳＩ（Ｌａｒｇｅ  Ｓｃａｌｅ  Ｉｎｔｅｇｒａｔｉｏｎ）として実現されてもよい。
【０１００】
また、集積回路はＬＳＩに限られず、専用回路または汎用プロセッサで実現されてもよい。プログラム可能なＦＰＧＡ（Ｆｉｅｌｄ  Ｐｒｏｇｒａｍｍａｂｌｅ  Ｇａｔｅ  Ａｒｒａｙ）、または、ＬＳＩ内部の回路セルの接続および設定が再構成可能なリコンフィギュラブル・プロセッサが、利用されてもよい。
【０１０１】
さらに、半導体技術の進歩または派生する別技術によりＬＳＩに置き換わる集積回路化の技術が登場すれば、当然、その技術を用いて、案内表示装置１０に含まれる制御部６０の集積回路化が行われてもよい。
【０１０２】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１０３】
１  案内システム
１０  案内表示装置
２０  第１の表示面
３０  第１の光源
４０  庇
４１  領域
５０  第２の光源
６０、１１０、２１０  制御部
７０  表示領域
７２ａ、７２ｂ  所定の情報
８０  照度センサ
９０  人感センサ
１００  携帯端末
１３０  撮影部
２００  サーバ
【図１】
0006681610.tif 000002
【図２】
0006681610.tif 000003
【図３】
0006681610.tif 000004
【図４】
0006681610.tif 000005
【図５】
0006681610.tif 000006
【図６】
0006681610.tif 000007
【図７】
0006681610.tif 000008
【図８】
0006681610.tif 000009